(57)【要約】【課題】複数の単位記録層を有する相変化型光記録媒体において、奥側の単位記録層に低パワーで記録できる光記録装置、光記録方法及び光記録媒体を提供する。【解決手段】光記録装置は、再生部で光記録媒体Ｄより識別情報を読み出す。記録パルス列生成部３９は、読み出された第１の単位記録層に対する第１の記録条件を示す第１の識別情報と、第２の単位記録層に対する第２の記録条件を示す第２の識別情報それぞれに基づいて、第１及び第２の記録パルス列を生成する。記録部４００は、第１の単位記録層に対して第１の記録パルス列に応じた光を照射し、第２の単位記録層に対して第２の記録パルス列に応じた光を照射して記録を行う。【選択図】図１
2008123652.tif 000002
【特許請求の範囲】
【請求項１】
光が入射する入射面から前記光の入射方向に順に相変化の記録膜を有する第１の単位記録層と相変化の記録膜を有する第２の単位記録層とを積層した光記録媒体に前記光によって情報を記録する光記録装置において、
前記光記録媒体より前記第１の単位記録層に対する第１の記録条件を示す第１の識別情報と前記第２の単位記録層に対する第２の記録条件を示す第２の識別情報とを読み出す再生部と、
前記情報を変調して変調データを生成するエンコーダと、
前記変調データに基づいて所望のマーク長ｎＴ（ｎは３以上１４以下の整数）よりなるマークとこのマークに続くスペースとよりなる記録信号を生成する記録信号生成部と、
前記情報を書き込む単位記録層を前記第１の単位記録層とするか前記第２の単位記録層とするか切り換えるよう制御する制御部と、
前記制御部が前記情報を前記第１の単位記録層に書き込むよう制御する場合には、前記第１の識別情報に基づいて、前記記録信号の前記マーク長ｎＴに対応して記録パワーを有する（ｎ−１）個の記録パルスと、前記スペースの期間に前記記録パルスに続いて発生する記録パワーを有する追加パルスとよりなる第１の記録パルス列を生成すると共に、前記制御部が前記情報を前記第２の単位記録層に書き込むよう制御する場合には、前記第２の識別情報に基づいて、前記記録信号の前記マーク長ｎＴに対応してｎが偶数の時はｎ／２個の、ｎが奇数の時は（ｎ−１）／２個の記録パワーを有する記録パルスよりなる第２の記録パルス列を生成する記録パルス列生成部と、
前記第１の単位記録層に前記第１の記録パルス列に応じた前記光を照射し、前記第２の単位記録層に前記第２の記録パルス列に応じた前記光を照射する記録部とを備えることを特徴とする光記録装置。
【請求項２】
光が入射する入射面から前記光の入射方向に順に相変化の記録膜を有する第１の単位記録層と相変化の記録膜を有する第２の単位記録層とを積層した光記録媒体に前記光によって情報を記録する光記録装置において、
前記光記録媒体より前記第１の単位記録層に対する第１の記録条件を示す第１の識別情報と前記第２の単位記録層に対する第２の記録条件を示す第２の識別情報と前記第２の単位記録層に対する第３の記録条件を示す第３の識別情報とを読み出す再生部と、
前記情報を変調して変調データを生成するエンコーダと、
前記変調データに基づいて所望のマーク長ｎＴ（ｎは３以上１４以下の整数）よりなるマークとこのマークに続くスペースとよりなる記録信号を生成する記録信号生成部と、
前記情報を書き込む単位記録層を前記第１の単位記録層とするか前記第２の単位記録層とするか切り換えるよう制御する制御部と、
前記制御部が前記情報を前記第１の単位記録層に書き込むよう制御する場合には、前記第１の識別情報に基づいて、前記記録信号の前記マーク長ｎＴに対応して記録パワーを有する（ｎ−１）個の記録パルスと、前記スペースの期間に前記記録パルスに続いて発生する記録パワーを有する追加パルスとよりなる第１の記録パルス列を生成すると共に、前記制御部が前記情報を前記第２の単位記録層に書き込むよう制御する場合には、前記第２の識別情報を用いることなく前記第３の識別情報に基づいて、前記第１の記録パルス列または前記記録信号の前記マーク長ｎＴに対応して記録パワーを有する（ｎ−１）個の記録パルスよりなる第３の記録パルス列を生成する記録パルス列生成部と、
前記第１の単位記録層に前記第１の記録パルス列に応じた前記光を照射し、前記第２の単位記録層に前記第１の記録パルス列または前記第３の記録パルス列に応じた前記光を照射する記録部とを備えることを特徴とする光記録装置。
【請求項３】
光が入射する入射面から前記光の入射方向に順に相変化の記録膜を有する第１の単位記録層と相変化の記録膜を有する第２の単位記録層とを積層した光記録媒体に前記光によって情報を記録する光記録方法において、
前記光記録媒体より、前記第１の単位記録層に対する第１の記録条件を示す第１の識別情報と前記第２の単位記録層に対する第２の記録条件を示す第２の識別情報とを読み出す読み出しステップと、
前記情報を変調して変調データを生成する変調ステップと、
前記変調データに基づいて所望のマーク長ｎＴ（ｎは３以上１４以下の整数）よりなるマークとこのマークに続くスペースとよりなる記録信号を生成する記録信号生成ステップと、
前記情報を書き込む単位記録層を前記第１の単位記録層とするか前記第２の単位記録層とするか切り換えるよう制御する制御ステップと、
前記記録信号に基づいて前記光記録媒体に対して前記光を照射し、前記第１の単位記録層または前記第２の単位記録層に前記情報を示す記録マークを記録する記録ステップとを含み、
前記記録ステップは、
前記制御ステップにて前記情報を前記第１の単位記録層に書き込むように制御された場合には、前記第１の識別情報に基づいて、前記記録信号の前記マーク長ｎＴに対応して記録パワーを有する（ｎ−１）個の記録パルスと、前記スペースの期間に前記記録パルスに続いて発生する記録パワーを有する追加パルスとよりなる第１の記録パルス列を生成し、前記第１の単位記録層に前記第１の記録パルス列に応じた前記光を照射し、
前記制御ステップにて前記情報を前記第２の単位記録層に書き込むように制御された場合には、前記第２の識別情報に基づいて、前記記録信号の前記マーク長ｎＴに対応してｎが偶数の時にはｎ／２個、ｎが奇数の時には（ｎ−１）／２個の記録パワーを有する記録パルスよりなる第２の記録パルス列を生成し、前記第２の単位記録層に前記第２の記録パルス列に応じた前記光を照射することを特徴とする光記録方法。
【請求項４】
光が入射する入射面から前記光の入射方向に順に相変化の記録膜を有する第１の単位記録層と相変化の記録膜を有する第２の単位記録層とを積層した光記録媒体に前記光によって情報を記録する光記録方法において、
前記光記録媒体より、前記第１の単位記録層に対する第１の記録条件を示す第１の識別情報と前記第２の単位記録層に対する第２の記録条件を示す第２の識別情報と前記第２の単位記録層に対する第３の記録条件を示す第３の識別情報とを読み出す読み出しステップと、
前記情報を変調して変調データを生成する変調ステップと、
前記変調データに基づいて所望のマーク長ｎＴ（ｎは３以上１４以下の整数）よりなるマークとこのマークに続くスペースとよりなる記録信号を生成する記録信号生成ステップと、
前記情報を書き込む単位記録層を前記第１の単位記録層とするか前記第２の単位記録層とするか切り換えるよう制御する制御ステップと、
前記記録信号に基づいて前記光記録媒体に対して前記光を照射し、前記第１の単位記録層または前記第２の単位記録層に前記情報を示す記録マークを記録する記録ステップとを含み、
前記記録ステップは、
前記制御ステップにて前記情報を前記第１の単位記録層に書き込むように制御された場合には、前記第１の識別情報に基づいて、前記記録信号の前記マーク長ｎＴに対応して記録パワーを有する（ｎ−１）個の記録パルスと、前記スペースの期間に前記記録パルスに続いて発生する記録パワーを有する追加パルスとよりなる第１の記録パルス列を生成し、前記第１の単位記録層に前記第１の記録パルス列に応じた前記光を照射し、
前記制御ステップにて前記情報を前記第２の単位記録層に書き込むように制御された場合には、前記第２の識別情報を用いることなく前記第３の識別情報に基づいて、前記第１の記録パルス列または前記記録信号の前記マーク長ｎＴに対応して記録パワーを有する（ｎ−１）個の記録パルスよりなる第３の記録パルス列を生成し、前記第２の単位記録層に前記第１の記録パルス列または第３の記録パルス列に応じた前記光を照射することを特徴とする光記録方法。
【請求項５】
光によって情報が記録される相変化型の光記録媒体において、
前記光が入射する入射面から前記光の入射方向に順に相変化の記録膜を有する第１の単位記録層と相変化の記録膜を有する第２の単位記録層とが積層され、
前記第１の単位記録層の記録には、前記情報に基づいた所望のマーク長ｎＴ（ｎは３以上１４以下の整数）よりなるマークとこのマークに続くスペースとよりなる記録信号の前記マーク長ｎＴに対して記録パワーを有する（ｎ−１）個の記録パルスと、前記スペースの期間に前記記録パルスに続いて発生する記録パワーを有する追加パルスとよりなる第１の記録パルス列を用いることを示す第１の識別情報と、前記第２の単位記録層の記録には、前記情報に基づいた前記記録信号の前記マーク長ｎＴに対応してｎが偶数の時はｎ／２個、ｎが奇数の時は（ｎ−１）／２個の記録パワーを有する記録パルスよりなる第２の記録パルス列を用いることを示す第２の識別情報とを所定のエリアに物理的に記録していることを特徴とする光記録媒体。
【請求項６】
前記第２の単位記録層の記録には、前記第１の記録パルス列または前記情報に基づいた前記記録信号の前記マーク長ｎＴに対応して記録パワーを有する（ｎ−１）個の記録パルスよりなる第３の記録パルス列を用いることを示す第３の識別情報を所定のエリアに物理的に記録していることを特徴とする請求項５記載の光記録媒体。
【請求項７】
前記所定のエリアは、リードインエリアであることを特徴とする請求項５または６記載の光記録媒体。
【請求項８】
光が入射する入射面から前記光の入射方向に順に相変化の記録膜を有する第１の単位記録層と相変化の記録膜を有する第２の単位記録層とを積層した光記録媒体に前記光によって情報を記録する光記録装置において、
前記光記録媒体より前記第２の単位記録層に対する記録に用いる最適記録パワーが３５ｍＷ以内であることを示す高感度識別情報が記録されているか否かを読み出す再生部と、
前記高感度識別情報が読み出された場合には、前記第２の単位記録層に３５ｍＷ以内のパワーを有する前記光を照射して前記情報を記録し、前記高感度識別情報が読み出されない場合には、前記光記録媒体に前記情報を記録しないように制御する制御部とを備えることを特徴とする光記録装置。
【請求項９】
光が入射する入射面から前記光の入射方向に順に相変化の記録膜を有する第１の単位記録層と相変化の記録膜を有する第２の単位記録層とを積層した光記録媒体に前記光によって情報を記録する光記録装置において、
前記光記録媒体より前記第２の単位記録層に対する記録に用いる最適記録パワーが３５ｍＷ以内の第１のパワーであることを示す第１の情報か、前記最適記録パワーが３５ｍＷより大きい第２のパワーであることを示す第２の情報を読み出す再生部と、
前記再生部で前記第１の情報が読み出された場合には、前記光記録媒体に前記第１のパワーを有する前記光を照射して前記情報を記録し、前記再生部で前記第２の情報が読み出された場合には、前記光記録媒体に前記第２のパワーを有する前記光を照射して前記情報を記録するように制御する制御部とを備えることを特徴とする光記録装置。
【請求項１０】
光が入射する入射面から前記光の入射方向に順に相変化の記録膜を有する第１の単位記録層と相変化の記録膜を有する第２の単位記録層とを積層した光記録媒体に前記光によって情報を記録する光記録方法において、
前記光記録媒体より前記第２の単位記録層に対する記録に用いる最適記録パワーが３５ｍＷ以内であることを示す高感度識別情報が記録されているか否かを読み出す読み出しステップと、
前記読み出しステップで前記高感度識別情報が読み出された場合には、前記第２の単位記録層に３５ｍＷ以内のパワーを有する前記光を照射して前記情報を記録し、前記読み出しステップで前記高感度識別情報が読み出されない場合には、前記光記録媒体へ前記情報を記録しない記録ステップとを備えることを特徴とする光記録方法。
【請求項１１】
光が入射する入射面から前記光の入射方向に順に相変化の記録膜を有する第１の単位記録層と相変化の記録膜を有する第２の単位記録層とを積層した光記録媒体に前記光によって情報を記録する光記録方法において、
前記光記録媒体より前記第２の単位記録層に対する記録に用いる最適記録パワーが３５ｍＷ以内の第１のパワーであることを示す第１の情報か、前記最適記録パワーが３５ｍＷより大きい第２のパワーであることを示す第２の情報を読み出す読み出しステップと、
前記読み出しステップで前記第１の情報が読み出された場合には、前記光記録媒体に前記第１のパワーを有する前記光を照射して前記情報を記録し、前記読み出しステップで前記第２の情報が読み出された場合には、前記光記録媒体に前記第２のパワーを有する前記光を照射して前記情報を記録する記録ステップとを備えることを特徴とする光記録方法。
【請求項１２】
光によって情報が記録される相変化型の光記録媒体において、
前記光が入射する入射面から前記光の入射方向に順に相変化の記録膜を有する第１の単位記録層と相変化の記録膜を有する第２の単位記録層とが積層され、
前記第２の単位記録層に対する記録に用いる最適記録パワーが３５ｍＷ以内であり、前記第２の単位記録層は３５ｍＷ以内の記録パワーで記録可能な高感度な単位記録層であることを示す高感度識別情報を所定のエリアに物理的に記録していることを特徴とする光記録媒体。
【発明の詳細な説明】
【技術分野】
【０００１】
本発明は、光（例えばレーザ光）の照射によって光記録媒体に情報を記録する光記録装置、光記録方法及び光記録媒体に関するものである。特に本発明は、書き換え可能な記録膜を２層有する２層型相変化光記録媒体に対して、低い記録パワーでも良好に記録を行える光記録装置、光記録方法及び光記録媒体を提供するものである。
【背景技術】
【０００２】
相変化型光記録媒体とは、結晶相と非結晶相との可逆変化現象を利用して、情報を書換えることを可能とする媒体であり、例えば近年のＣＤ−ＲＷ（繰り返し記録可能型コンパクトディスク）、ＤＶＤ−ＲＷ（繰り返し記録可能型デジタル多用途ディスク）やＤＶＤ−ＲＡＭ（繰り返し記録可能なランダムアクセス・デジタル多用途ディスク）である。なかでもＤＶＤ−ＲＷやＤＶＤ−ＲＡＭは主に映像情報のような情報量が大きいものの記録、書換えに使用される。
このような相変化型光記録媒体には、優れた記録特性及びオーバライト特性の要求に加えて、長時間録画や大容量データ貯蔵の点から記録容量の増大や、高密度化記録への要求が増大している。
【特許文献１】特開２００１−２８３４４３号公報
【０００３】
記録容量を増大させるため、少なくとも記録膜を有する単位記録層を２層備えた２層型相変化光記録媒体が普及し、ビデオレコーダ等の据置型光記録装置、パーソナルコンピュータ、カメラ一体型光記録装置等の可搬型光記録装置用の記録媒体として使用されている。
２層型相変化光記録媒体は、記録・再生または消去用レーザ光が入射する入射面を底面とする基板上に第１単位記録層であるＬ０層と第２単位記録層であるＬ１層とをこの順に積層したものである。
Ｌ０層は、Ｌ１層に対して記録再生が行われる際にレーザ光を透過させる必要がある。従って、Ｌ０層（高透過層）を構成する記録膜や反射膜は透過率を上げるために薄く形成する。一方、２層型相変化光記録媒体において最奥層であるＬ１層はレーザ光を次の層のために透過させる必要がないので、Ｌ１層を構成する記録膜や反射膜は特性を確保するのに十分な膜厚に形成することができる。
【０００４】
しかしながら、Ｌ０層を構成する各膜を薄く形成しても、基板側から照射されたレーザ光がＬ０層を透過する光透過率を５０％以下程度としかできない。このため、Ｌ１層に対して記録する際は、Ｌ０層での光の吸収や反射による損失を考慮した大きさのパワーを有するレーザ光を照射する必要がある。従って、Ｌ１層の記録に用いるレーザ光のパワーは、Ｌ０層の記録に用いるレーザ光のパワーよりも大きくしなければならない。
【０００５】
据置型の光記録装置では、Ｌ１層の記録に要するレーザ光のパワーがＬ０層のものより大きくなることはさほど問題とはならない。しかしながら、可搬型光記録装置では、一般的にバッテリで駆動されるので消費電力が多いことは好ましくなく、Ｌ１層の記録に要するレーザ光のパワーを極力抑えることが望まれる。
【発明の開示】
【発明が解決しようとする課題】
【０００６】
カメラ一体型光記録装置においては、装置の小型化のため、記録容量の少ない直径８ｃｍの光記録媒体が用いられる。従って、カメラ一体型光記録装置用の光記録媒体としては記録時間を増やすため、２層型相変化光記録媒体とすることが必要である。しかしながら、従来の光記録媒体においては、Ｌ１層の記録に必要なレーザ光のパワーが大きく、バッテリ駆動のカメラ一体型光記録装置には使いにくいという問題点があった。
そこで、本発明は複数の単位記録層を有する光記録媒体における奥側の単位記録層の記録に用いるレーザ光のパワーを低く抑えることのできる光記録装置、光記録方法及び光記録媒体を提供することを目的とする。
また、奥側の単位記録層に低パワーで記録できるだけでなく、そのパワーよりも大きい通常パワーでも記録できる汎用性に優れた光記録装置、光記録方法及び光記録媒体を提供することを目的とする。
【課題を解決するための手段】
【０００７】
上述した課題を解決するために、本発明は（ａ）〜（ｌ）の構成を有する光記録装置、光記録方法及び光記録媒体を提供する。
（ａ）光Ｌが入射する入射面から前記光の入射方向に順に相変化の記録膜を有する第１の単位記録層Ｌ０と相変化の記録膜を有する第２の単位記録層Ｌ１とを積層した光記録媒体Ｄに前記光によって情報を記録する光記録装置において、前記光記録媒体より前記第１の単位記録層に対する第１の記録条件を示す第１の識別情報と前記第２の単位記録層に対する第２の記録条件を示す第２の識別情報とを読み出す再生部と、前記情報を変調して変調データを生成するエンコーダ４２と、前記変調データに基づいて所望のマーク長ｎＴ（ｎは３以上１４以下の整数）よりなるマークとこのマークに続くスペースとよりなる記録信号を生成する記録信号生成部４１と、前記情報を書き込む単位記録層を前記第１の単位記録層とするか前記第２の単位記録層とするか切り換えるよう制御する制御部４５と、前記制御部が前記情報を前記第１の単位記録層に書き込むよう制御する場合には、前記第１の識別情報に基づいて、前記記録信号の前記マーク長ｎＴに対応して記録パワーを有する（ｎ−１）個の記録パルスと、前記スペースの期間に前記記録パルスに続いて発生する記録パワーを有する追加パルスとよりなる第１の記録パルス列Ｐ１を生成すると共に、前記制御部が前記情報を前記第２の単位記録層に書き込むよう制御する場合には、前記第２の識別情報に基づいて、前記記録信号の前記マーク長ｎＴに対応してｎが偶数の時はｎ／２個の、ｎが奇数の時は（ｎ−１）／２個の記録パワーを有する記録パルスよりなる第２の記録パルス列Ｐ２を生成する記録パルス列生成部３９と、前記第１の単位記録層に前記第１の記録パルス列に応じた前記光を照射し、前記第２の単位記録層に前記第２の記録パルス列に応じた前記光を照射する記録部４００とを備えることを特徴とする光記録装置。
（ｂ）光Ｌが入射する入射面から前記光の入射方向に順に相変化の記録膜を有する第１の単位記録層Ｌ０と相変化の記録膜を有する第２の単位記録層Ｌ１とを積層した光記録媒体Ｄに前記光によって情報を記録する光記録装置において、前記光記録媒体より前記第１の単位記録層に対する第１の記録条件を示す第１の識別情報と前記第２の単位記録層に対する第２の記録条件を示す第２の識別情報と前記第２の単位記録層に対する第３の記録条件を示す第３の識別情報とを読み出す再生部と、前記情報を変調して変調データを生成するエンコーダ４２と、前記変調データに基づいて所望のマーク長ｎＴ（ｎは３以上１４以下の整数）よりなるマークとこのマークに続くスペースとよりなる記録信号を生成する記録信号生成部４１と、前記情報を書き込む単位記録層を前記第１の単位記録層とするか前記第２の単位記録層とするか切り換えるよう制御する制御部４５と、前記制御部が前記情報を前記第１の単位記録層に書き込むよう制御する場合には、前記第１の識別情報に基づいて、前記記録信号の前記マーク長ｎＴに対応して記録パワーを有する（ｎ−１）個の記録パルスと、前記スペースの期間に前記記録パルスに続いて発生する記録パワーを有する追加パルスとよりなる第１の記録パルス列Ｐ１を生成すると共に、前記制御部が前記情報を前記第２の単位記録層に書き込むよう制御する場合には、前記第２の識別情報を用いることなく前記第３の識別情報に基づいて、前記第１の記録パルス列または前記記録信号の前記マーク長ｎＴに対応して記録パワーを有する（ｎ−１）個の記録パルスよりなる第３の記録パルス列Ｐ３を生成する記録パルス列生成部３９と、前記第１の単位記録層に前記第１の記録パルス列に応じた前記光を照射し、前記第２の単位記録層に前記第１の記録パルス列または前記第３の記録パルス列に応じた前記光を照射する記録部４００とを備えることを特徴とする光記録装置。
（ｃ）光Ｌが入射する入射面から前記光の入射方向に順に相変化の記録膜を有する第１の単位記録層Ｌ０と相変化の記録膜を有する第２の単位記録層Ｌ１とを積層した光記録媒体Ｄに前記光によって情報を記録する光記録方法において、前記光記録媒体より、前記第１の単位記録層に対する第１の記録条件を示す第１の識別情報と前記第２の単位記録層に対する第２の記録条件を示す第２の識別情報とを読み出す読み出しステップと、前記情報を変調して変調データを生成する変調ステップと、前記変調データに基づいて所望のマーク長ｎＴ（ｎは３以上１４以下の整数）よりなるマークとこのマークに続くスペースとよりなる記録信号を生成する記録信号生成ステップと、前記情報を書き込む単位記録層を前記第１の単位記録層とするか前記第２の単位記録層とするか切り換えるよう制御する制御ステップと、前記記録信号に基づいて前記光記録媒体に対して前記光を照射し、前記第１の単位記録層または前記第２の単位記録層に前記情報を示す記録マークを記録する記録ステップとを含み、前記記録ステップは、前記制御ステップにて前記情報を前記第１の単位記録層に書き込むように制御された場合には、前記第１の識別情報に基づいて、前記記録信号の前記マーク長ｎＴに対応して記録パワーを有する（ｎ−１）個の記録パルスと、前記スペースの期間に前記記録パルスに続いて発生する記録パワーを有する追加パルスとよりなる第１の記録パルス列Ｐ１を生成し、前記第１の単位記録層に前記第１の記録パルス列に応じた前記光を照射し、前記制御ステップにて前記情報を前記第２の単位記録層に書き込むように制御された場合には、前記第２の識別情報に基づいて、前記記録信号の前記マーク長ｎＴに対応してｎが偶数の時にはｎ／２個、ｎが奇数の時には（ｎ−１）／２個の記録パワーを有する記録パルスよりなる第２の記録パルス列Ｐ２を生成し、前記第２の単位記録層に前記第２の記録パルス列に応じた前記光を照射することを特徴とする光記録方法。
（ｄ）光Ｌが入射する入射面から前記光の入射方向に順に相変化の記録膜を有する第１の単位記録層Ｌ０と相変化の記録膜を有する第２の単位記録層Ｌ１とを積層した光記録媒体Ｄに前記光によって情報を記録する光記録方法において、前記光記録媒体より、前記第１の単位記録層に対する第１の記録条件を示す第１の識別情報と前記第２の単位記録層に対する第２の記録条件を示す第２の識別情報と前記第２の単位記録層に対する第３の記録条件を示す第３の識別情報とを読み出す読み出しステップと、前記情報を変調して変調データを生成する変調ステップと、前記変調データに基づいて所望のマーク長ｎＴ（ｎは３以上１４以下の整数）よりなるマークとこのマークに続くスペースとよりなる記録信号を生成する記録信号生成ステップと、前記情報を書き込む単位記録層を前記第１の単位記録層とするか前記第２の単位記録層とするか切り換えるよう制御する制御ステップと、前記記録信号に基づいて前記光記録媒体に対して前記光を照射し、前記第１の単位記録層または前記第２の単位記録層に前記情報を示す記録マークを記録する記録ステップとを含み、前記記録ステップは、前記制御ステップにて前記情報を前記第１の単位記録層に書き込むように制御された場合には、前記第１の識別情報に基づいて、前記記録信号の前記マーク長ｎＴに対応して記録パワーを有する（ｎ−１）個の記録パルスと、前記スペースの期間に前記記録パルスに続いて発生する記録パワーを有する追加パルスとよりなる第１の記録パルス列Ｐ１を生成し、前記第１の単位記録層に前記第１の記録パルス列に応じた前記光を照射し、前記制御ステップにて前記情報を前記第２の単位記録層に書き込むように制御された場合には、前記第２の識別情報を用いることなく前記第３の識別情報に基づいて、前記第１の記録パルス列または前記記録信号の前記マーク長ｎＴに対応して記録パワーを有する（ｎ−１）個の記録パルスよりなる第３の記録パルス列Ｐ３を生成し、前記第２の単位記録層に前記第１の記録パルス列または第３の記録パルス列に応じた前記光を照射することを特徴とする光記録方法。
（ｅ）光Ｌによって情報が記録される相変化型の光記録媒体Ｄにおいて、前記光が入射する入射面から前記光の入射方向に順に相変化の記録膜を有する第１の単位記録層Ｌ０と相変化の記録膜を有する第２の単位記録層Ｌ１とが積層され、前記第１の単位記録層の記録には、前記情報に基づいた所望のマーク長ｎＴ（ｎは３以上１４以下の整数）よりなるマークとこのマークに続くスペースとよりなる記録信号の前記マーク長ｎＴに対して記録パワーを有する（ｎ−１）個の記録パルスと、前記スペースの期間に前記記録パルスに続いて発生する記録パワーを有する追加パルスとよりなる第１の記録パルス列Ｐ１を用いることを示す第１の識別情報と、前記第２の単位記録層の記録には、前記情報に基づいた前記記録信号の前記マーク長ｎＴに対応してｎが偶数の時はｎ／２個、ｎが奇数の時は（ｎ−１）／２個の記録パワーを有する記録パルスよりなる第２の記録パルス列Ｐ２を用いることを示す第２の識別情報とを所定のエリア２３に物理的に記録していることを特徴とする光記録媒体。
（ｆ）前記第２の単位記録層の記録には、前記第１の記録パルス列または前記情報に基づいた前記記録信号の前記マーク長ｎＴに対応して記録パワーを有する（ｎ−１）個の記録パルスよりなる第３の記録パルス列Ｐ３を用いることを示す第３の識別情報を所定のエリアに物理的に記録していることを特徴とする（ｅ）記載の光記録媒体。
（ｇ）前記所定のエリアは、リードインエリアであることを特徴とする（ｅ）または（ｆ）記載の光記録媒体。
（ｈ）光Ｌが入射する入射面から前記光の入射方向に順に相変化の記録膜を有する第１の単位記録層Ｌ０と相変化の記録膜を有する第２の単位記録層Ｌ１とを積層した光記録媒体Ｄに前記光によって情報を記録する光記録装置において、前記光記録媒体より前記第２の単位記録層に対する記録に用いる最適記録パワーＰｏ１が３５ｍＷ以内であることを示す高感度識別情報が記録されているか否かを読み出す再生部と、前記高感度識別情報が読み出された場合には、前記第２の単位記録層に３５ｍＷ以内のパワーを有する前記光を照射して前記情報を記録し、前記高感度識別情報が読み出されない場合には、前記光記録媒体に前記情報を記録しないように制御する制御部４５とを備えることを特徴とする光記録装置。
（ｉ）光Ｌが入射する入射面から前記光の入射方向に順に相変化の記録膜を有する第１の単位記録層Ｌ０と相変化の記録膜を有する第２の単位記録層Ｌ１とを積層した光記録媒体Ｄに前記光によって情報を記録する光記録装置において、前記光記録媒体より前記第２の単位記録層に対する記録に用いる最適記録パワーＰｏ１が３５ｍＷ以内の第１のパワーであることを示す第１の情報か、前記最適記録パワーが３５ｍＷより大きい第２のパワーであることを示す第２の情報を読み出す再生部と、前記再生部で前記第１の情報が読み出された場合には、前記光記録媒体に前記第１のパワーを有する前記光を照射して前記情報を記録し、前記再生部で前記第２の情報が読み出された場合には、前記光記録媒体に前記第２のパワーを有する前記光を照射して前記情報を記録するように制御する制御部４５とを備えることを特徴とする光記録装置。
（ｊ）光Ｌが入射する入射面から前記光の入射方向に順に相変化の記録膜を有する第１の単位記録層Ｌ０と相変化の記録膜を有する第２の単位記録層Ｌ１とを積層した光記録媒体Ｄに前記光によって情報を記録する光記録方法において、前記光記録媒体より前記第２の単位記録層に対する記録に用いる最適記録パワーＰｏ１が３５ｍＷ以内であることを示す高感度識別情報が記録されているか否かを読み出す読み出しステップと、前記読み出しステップで前記高感度識別情報が読み出された場合には、前記第２の単位記録層に３５ｍＷ以内のパワーを有する前記光を照射して前記情報を記録し、前記読み出しステップで前記高感度識別情報が読み出されない場合には、前記光記録媒体へ前記情報を記録しない記録ステップとを備えることを特徴とする光記録方法。
（ｋ）光Ｌが入射する入射面から前記光の入射方向に順に相変化の記録膜を有する第１の単位記録層Ｌ０と相変化の記録膜を有する第２の単位記録層Ｌ１とを積層した光記録媒体Ｄに前記光によって情報を記録する光記録方法において、前記光記録媒体より前記第２の単位記録層に対する記録に用いる最適記録パワーＰｏ１が３５ｍＷ以内の第１のパワーであることを示す第１の情報か、前記最適記録パワーが３５ｍＷより大きい第２のパワーであることを示す第２の情報を読み出す読み出しステップと、前記読み出しステップで前記第１の情報が読み出された場合には、前記光記録媒体に前記第１のパワーを有する前記光を照射して前記情報を記録し、前記読み出しステップで前記第２の情報が読み出された場合には、前記光記録媒体に前記第２のパワーを有する前記光を照射して前記情報を記録する記録ステップとを備えることを特徴とする光記録方法。
（ｌ）光Ｌによって情報が記録される相変化型の光記録媒体Ｄにおいて、前記光が入射する入射面から前記光の入射方向に順に相変化の記録膜を有する第１の単位記録層Ｌ０と相変化の記録膜を有する第２の単位記録層Ｌ１とが積層され、前記第２の単位記録層に対する記録に用いる最適記録パワーＰｏ１が３５ｍＷ以内であり、前記第２の単位記録層は３５ｍＷ以内の記録パワーで記録可能な高感度な単位記録層であることを示す高感度識別情報を所定のエリア２３に物理的に記録していることを特徴とする光記録媒体。
【発明の効果】
【０００８】
本発明によれば、奥側の単位記録層の記録に用いるレーザ光のパワーを小さくでき、また情報が良好に記録できる。
【発明を実施するための最良の形態】
【０００９】
≪第１実施形態≫
≪光記録再生装置≫
本発明の光記録再生装置の一実施形態を図１に示す。
まず、スピンドルモータ３１は光記録媒体Ｄを回転させる。スピンドルモータ３１の回転数が目的の記録速度に対応する記録線速度となるよう回転制御部３２が制御する。また光記録媒体Ｄの記録・再生または消去に用いる半導体レーザ（ＬＤ）３３や、ＬＤ３３のレーザ光を集光照射させる対物レンズ（図示せず）及び例えば４分割受光素子（図示せず）を備えた光ヘッド３４が、光記録媒体Ｄの半径方向に移動自在に設けられている。
なお、本実施形態の光記録再生装置に用いる記録用の光源としては、レーザ光、ストロボ光のように高強度の光源が好ましい。なかでも半導体レーザ光は光源が小型化できること、消費電力が小さいこと、変調が容易であることから好ましい。
【００１０】
光ヘッド３４の４分割受光素子は、光記録媒体ＤにＬＤ３３から照射したレーザ光の反射光を受光する。４分割受光素子が受光した光に基づいて信号生成部５７はプッシュプル信号を生成し、ウォブル検出部３６に出力する。また、４分割受光素子が受光した光に基づいて信号生成部５７はフォーカスエラー信号及びトラッキングエラー信号をドライブコントローラ４４に出力する。更に信号生成部５７は、４分割受光素子の合成信号である再生信号（ＲＦ信号）を生成し、反射率検出部４６及びドライブコントローラ４４に出力する。
ドライブコントローラ４４は、信号生成部５７より供給されたフォーカスエラー信号及びトラッキングエラー信号に基づいてアクチュエータ制御部３５を制御する。アクチュエータ制御部３５は、光ヘッド３４のフォーカス及びトラッキングを制御する。
ドライブコントローラ４４は回転制御部３２、ウォブル検出部３６、アドレス復調回路３７、記録クロック生成部３８も制御する。
システムコントローラ４５はドライブコントローラ４４及び各部を制御している。
【００１１】
ウォブル検出部３６はプログラマブルバンドパスフィルタ（ＢＰＦ）３６１を備え、光記録媒体Ｄの基板に形成されたウォブルしたトラックより検出したウォブル信号をアドレス復調回路３７に出力する。アドレス復調回路３７は検出されたウォブル信号からアドレス情報を復調して出力する。復調されたアドレス情報が入力される記録クロック生成部３８はＰＬＬシンセサイザ回路３８１を有し、記録チャネルクロックを生成して記録パルス列生成部３９及びパルス数制御部４０に出力する。
【００１２】
ここで、光記録再生装置における光記録媒体Ｄの再生に係る構成及び動作を詳述する。
図２に光記録媒体Ｄの平面図を示す。光記録媒体Ｄはセンターホール２１と、その外周にクランプエリア２２を有する。クランプエリア２２の外周には情報エリア（リードインエリア）２３及び最適パワーコントロールゾーン（ＯＰＣゾーン）２５が同心円上に設けられていて、さらにその外周領域は映像情報や音声情報などの実データを記録するための記録エリア２４となっている。
本実施形態のリードインエリア２３は、物理的形状であるリーダブルエンボスの状態で後述する識別情報を再生専用の記録情報として格納している。その他に、トラッキング信号を得るためのレーザガイド溝に高周波ウォブルやピットを形成することにより識別情報を格納する方法もある。
リードインエリア２３には、光記録媒体Ｄが良好な特性を得られるよう記録されるための記録条件が識別情報として記録されている。識別情報は例えば後述するように、記録情報に基づく記録マーク形成時に用いる記録パルス列を示す記録パルス列情報であり、記録用レーザ光のレーザ強度（後述する記録パワーＰｏや消去パワーＰｅなど）やその印加時間（パルス幅）を示す記録パラメータ（記録条件）等を含む。本実施形態において記録パワーＰｏは、各単位記録層の記録特性が最も良好となる記録パワーの値（最適記録パワー）を記録している。更には、光記録媒体Ｄの種類、光記録媒体Ｄのメーカ情報や光記録媒体Ｄが備える単位記録層の数を識別情報として記録していても良い。
【００１３】
既に記録エリア２４に情報が記録された光記録媒体Ｄが光記録再生装置の装着部５８に装着されると、光記録媒体Ｄの回転が目的の記録速度に対応する記録線速度となるようにスピンドルモータ３１の回転数を回転制御部３２により制御する。光ヘッド３４のＬＤ３３はリードインエリア２３に微弱な読み取り（再生用）レーザ光を照射し、光ヘッド３４は４分割受光素子で受光した反射光を信号生成部５７に供給する。ＬＤ３３と光ヘッド３４と信号生成部５７とは、光記録媒体Ｄより記録情報を再生する再生部として動作している。
【００１４】
信号生成部５７は反射光に基づいて再生信号を生成し、反射率検出部４６に供給する。反射率検出部４６はその反射率変化の傾きの正負を判断して光記録媒体Ｄを構成するいずれの単位記録層であるかを識別する。例えば、Ｌ１層（最奥層）であるかＬ０層（高透過層）であるか等を識別する。アクチュエータ制御部３５は光ヘッド３４を上下させ、ＬＤ３３が目的の記録膜に焦点を結ぶように制御する。アクチュエータ制御部３５は、光ヘッド３４の光記録媒体Ｄを構成する各記録膜へのフォーカス及び各記録膜に形成されたトラックへのトラッキングを制御する、フォーカス・トラッキング制御部として動作する。
続いて光ヘッド３４が記録エリア２４からの受光信号を信号生成部５７に出力し、信号生成部５７は再生信号を生成して出力する。再生信号は図示せぬ復調部で復調され出力される。同時にウォブル検出部３６は信号生成部５７から供給されたラジアルプッシュプル信号より、ウォブル信号及びＬＰＰ信号を検出し、アドレス復調回路３７に出力する。
アドレス復調回路３７はＬＰＰ信号を復調してアドレス情報を取得し、ドライブコントローラ４４に出力する。
【００１５】
次に光記録再生装置における光記録媒体Ｄの記録に係る構成及び動作を説明する。
記録エリア２４に未記録部を有する光記録媒体Ｄが記録再生装置の装着部５８に装着されると、光ヘッド３４のＬＤ３３はリードインエリア２３に微弱な読み取り（再生用）レーザ光を照射し、光ヘッド３４は４分割受光素子で受光した反射光を信号生成部５７に供給する。信号生成部５７は反射光に基づいて再生信号を生成し、再生信号を復調した識別情報をシステムコントローラ４５に供給する。識別情報は既に述べたように、記録パラメータなどを示す記録パルス列情報を含んでいる。
システムコントローラ４５は識別情報をメモリ４５１に書き込み、この識別情報に基づいてドライブコントローラ４４を制御する。ドライブコントローラ４４はシステムコントローラ４５からの制御に基づいて、アクチュエータ制御部３５、ウォブル検出部３６、アドレス復調回路３７を制御する。
【００１６】
光記録媒体Ｄの記録に際してシステムコントローラ４５は、記録情報をＬ０層、Ｌ１層いずれの単位記録層に書き込むかを切り換えるよう制御する制御部として動作する。続いて、反射率検出部４６は単位記録層の反射率変化の傾きの正負を判断してＬ０層か、Ｌ１層であるかを識別し、アクチュエータ制御部３５は書き込む指示を受けた単位記録層への光ヘッド３４のフォーカス及びトラッキングを制御する。
光ヘッド３４は記録用のレーザ光を光記録媒体Ｄに照射する。ドライブコントローラ４４はウォブル検出部３６より供給されたウォブル信号を、記録クロック生成部３８に出力する。また、アドレス復調回路３７より供給されたアドレス情報をシステムコントローラ４５に出力する。
復調されたアドレス情報が入力される記録クロック生成部３８はＰＬＬシンセサイザ回路３８１を有し、記録チャネルクロックを生成して記録パルス列生成部３９及びパルス数制御部４０に出力する。
【００１７】
システムコントローラ４５はＥＦＭ＋エンコーダ４２、マーク長カウンタ４１、及びパルス数制御部４０を制御する。更にシステムコントローラ４５は、先に述べた識別情報に基づき、記録パルス列生成部３９及びＬＤドライバ部４３を制御する。
ＥＦＭ＋エンコーダ４２は入力された記録情報を８−１６変調して変調データとし、記録パルス列生成部３９とマーク長カウンタ４１に出力する。マーク長カウンタ４１は変調データに基づいて所定のマーク長をカウントしそのカウント値を記録パルス列生成部３９とパルス数制御部４０に出力する。マーク長カウンタ４１は、所望のマーク長よりなるマークとこのマークに続くスペースとよりなる記録信号を生成する記録信号生成部として動作する。パルス数制御部４０は、供給されたカウント値と記録チャネルクロックに基づいて記録パルスが所定のパルスとなるように記録パルス列生成部３９を制御する。
【００１８】
記録パルス列生成部３９は先頭パルス制御信号生成部３９ｔとマルチパルス制御信号生成部３９ｍとラストパルス制御信号生成部３９ｌと冷却パルス制御信号生成部３９ｃと消去先頭パルス制御信号生成部３９etとを備え、識別情報に基づいて記録パルス列を生成する。
先頭パルス制御信号生成部３９ｔは先頭パルス制御信号を、マルチパルス制御信号生成部３９ｍはマルチパルス制御信号を、冷却パルス制御信号生成部３９ｃは冷却パルス制御信号を、ラストパルス制御信号生成部３９ｌはラストパルス制御信号を、消去先頭パルス制御信号生成部３９etは消去先頭パルス制御信号をそれぞれ生成する。
それぞれの制御信号はＬＤドライバ部４３に供給され、スイッチング部４３１は記録パワーＰｏの駆動電流源４３１ｏ、消去パワーＰｅの駆動電流源４３１ｅ、ボトムパワーＰｂの駆動電流源４３１ｂ、消去先頭パワーＰetの駆動電流源４３１etを供給された制御信号に基づいてスイッチングすることで記録パルス列を生成する。
Ｐｏ駆動電流源４３１ｏ、Ｐｅ駆動電流源４３１ｅ、Ｐｂ駆動電流源４３１ｂ及びＰｅｔ駆動電流源４３１etは、システムコントローラ４５のメモリ４５１に記憶されている記録パワーＰｏ、消去パワーＰｅ、ボトムパワーＰｂ及び消去先頭パワーＰetに基づいて光ヘッド３４に電流を供給する。これら４値は光記録媒体Ｄの記録特性を良好にするための最適な値であり、この最適な値を示す識別情報は光記録媒体Ｄより読み出され、メモリ４５１に格納されている。なお、メモリ４５１は例えば記録可能なＲＡＭ（Random Access Memory）である。
【００１９】
ところで、本実施形態の光記録再生装置は、光記録媒体Ｄの高線速度（高倍速）化に対応して複数の記録線速度のうちから選択した記録線速度を設定できるようにしている。システムコントローラ４５は記録線速度（倍速モード）を選択するための指示信号が入力されると、メモリ４５１に記憶されている指示された記録線速度における識別情報に基づいてＰｏ駆動電流源４３１ｏ、Ｐｅ駆動電流源４３１ｅ、Ｐｂ駆動電流源４３１ｂ及びＰet駆動電流源４３１etを上記同様に制御する。メモリ４５１には複数の記録線速度における識別情報が上述したように格納されている。
【００２０】
生成された記録パルス列は光ヘッド３４に入力される。光ヘッド３４はＬＤ３３が所望の記録パルス列及びパワーを有するＬＤ発光波形を出力するよう制御することにより、記録情報を光記録媒体Ｄに記録する。
記録パルス列生成部３９とＬＤドライバ部４３と光ヘッド３４とは、識別情報とマーク長カウンタ４１で生成された記録信号とに基づいて所望の記録パルス列を生成し、記録膜に対してＬＤ３３より記録光を所望の記録パルス列に応じて照射して記録情報を示す記録マークを記録する記録部４００として動作している。
【００２１】
以上の実施形態では、記録マークデータを生成する記録変調方式がＥＦＭ系の場合を説明したが、１−７変調方式などにも適用可能である。
【００２２】
本実施形態の光記録再生装置を用いて、次に示す光記録媒体Ｄに情報を記録する。
図３は、光記録媒体Ｄの積層構造を示す縦断面図である。
Ｌ０層は第１基板１上に形成され、第１保護膜２、第１記録膜３、第２保護膜４、第１反射膜５、高熱伝導膜６、第３保護膜７を順次積層した単位記録層である。Ｌ１層は第２基板１２のレーベル面１２Ｂを底面とした第２基板１２上に形成され、第２反射膜１１、第５保護膜１０、第２記録膜９、第４保護膜８を順次積層した単位記録層である。Ｌ０層の第３保護膜７とＬ１層の第４保護膜８とが中間層１３（接着層１３）を介して対向するように接着されている。すなわちＬ０層は、レーザ光Ｌが入射する光記録媒体Ｄの入射面１Ａから最も手前にある第１の単位記録層（高透過層）であり、Ｌ１層は、入射面１Ａから奥側にある第２の単位記録層（最奥層）である。
接着層１３は、紫外線（ＵＶ）硬化型樹脂を用いても、両面粘着型シートを用いても良い。
【００２３】
板厚が０．５８ｍｍのポリカーボネイト樹脂製の第１基板１上に、膜厚６６ｎｍの第１保護膜２をＺｎＳ−ＳｉＯ２を用いて形成した。続いて、第１記録膜３をＡｇ−Ｉｎ−Ｓｂ−Ｔｅの４元素単一合金ターゲットで膜厚７ｎｍ、続いて第２保護膜４を第１保護膜２と同じ材料で９ｎｍ、半透明な第１反射膜５をＡｇ合金ターゲットで膜厚５ｎｍとして順次積層した。第１反射膜５上に、Ａｌ−Ｎｘ（ｘは窒素の導入量で調整する窒化度）により高熱伝導膜６を膜厚５ｎｍで形成し、膜厚が５６ｎｍの第３保護膜７を第１保護膜２と同じ材料で形成し、第１単位記録層であるＬ０層を形成した。
第２単位記録層であるＬ１層は、第１基板１と同様に成形された０．６０ｍｍ厚の第２基板１２上に、第２反射膜１１をＡｇ合金ターゲットで８０ｎｍ、第５保護膜１０を第１保護膜２と同じ材料で１５ｎｍ、第２記録膜９をＡｇ−Ｉｎ−Ｓｂ−Ｔｅの４元素単一合金ターゲットで膜厚２０ｎｍ、第４保護膜８を第１保護膜２と同じ材料で６６ｎｍとして順次積層した。
両面粘着型シート１３（接着層１３）を用いて第３保護膜７と第４保護膜８とを向かい合うように貼り合わせて、２層型相変化光記録媒体Ｄを作製した。光記録媒体Ｄは、２倍速の記録速度に対応する。
なお、第１基板１及び第２基板１２の直径は、１２０ｍｍでも８０ｍｍでもよい。
【００２４】
≪光記録方法≫
既述したように、バッテリ駆動される可搬型光記録装置では消費電力を極力抑えることが求められ、記録の際に用いるレーザ光Ｌのパワーを低くすることが必要である。そこで、可搬型光記録装置において出力が許容できるレーザ光Ｌのパワーの上限を、３５ｍＷとする。なお、据置型光記録装置は３５ｍＷを超えるパワーのレーザ光Ｌを許容でき、上限は４５ｍＷとする。
Ｌ１層の記録パワーを低く抑えるために、本発明者の知見に基づき次のように光記録媒体Ｄに対して記録し、各光記録媒体Ｄの記録特性を調べた。光記録媒体ＤのＬ０層には後述する第１記録パルス列Ｐ１を用いて記録し、Ｌ１層には第１記録パルス列Ｐ１、後述する第２記録パルス列Ｐ２及び第３記録パルス列Ｐ３をそれぞれ用いた。
本実施形態では、図４に示す第１記録パルス列Ｐ１、図５に示す第２記録パルス列Ｐ２及び図６に示す第３記録パルス列Ｐ３を使用する。
【００２５】
図４（Ａ）は一例として、８Ｔマーク及び３Ｔマークを形成するための記録信号を示し、図４（Ｂ）は図４（Ａ）の記録信号に基づいた記録パルスを示す。
第１記録パルス列Ｐ１は図４（Ｂ）に示すように、消去パワーＰｅから立ち上がって最初に記録膜にレーザ光を記録パワーＰｏで印加する先頭パルスＴｔｏｐと、先頭パルスＴｔｏｐに続くパルスであり、記録パワーＰｏとボトムパワーＰｂとを交互に印加するマルチパルスＴｍｐと、レーザ光をボトムパワーＰｂから消去パワーＰｅまで立ち上がらせる冷却パルスＴｃｌと、冷却パルスＴｃｌに続くパルスであり消去先頭パワーＰetを印加する消去先頭パルスＴｅｔとで構成される。消去先頭パルスＴｅｔは、各マークに対応した第１記録パルス列Ｐ１の終端となる。本実施形態の第１記録パルス列Ｐ１では、記録パワーＰｏと消去先頭パワーＰetとは同じレーザ強度とした。
先頭パルスＴｔｏｐとマルチパルスＴｍｐとは、記録膜に対して記録マークを形成するための加熱パルス（記録パルス）となっている。
【００２６】
第１記録パルス列Ｐ１は、１Ｔの期間に１つのマルチパルスＴｍｐが設けられている。ここで、Ｔとは単位クロックであり、２層型ＤＶＤ（２層型相変化光記録媒体Ｄ）では１倍速時（ディスク回転速度：３．８４ｍ／ｓ）で１Ｔ＝３８．２ｎｓ、４倍速時（ディスク回転速度：１５．４ｍ／ｓ）で１Ｔ＝９．６ｎｓである。
第１記録パルス列Ｐ１に基づく光記録媒体Ｄへの記録は、４値（記録パワーＰｏ、消去パワーＰｅ、ボトムパワーＰｂ、消去先頭パワーＰet）のレーザ強度で変調し、所望のマーク長に対応してマルチパルスＴｍｐの数を増減させて行う。例えばＤＶＤ−ＲＷであれば、記録マークのマーク長ｎＴは３Ｔ、４Ｔ、５Ｔ、６Ｔ、７Ｔ、８Ｔ、９Ｔ、１０Ｔ、１１Ｔ、１４Ｔの１０種類ある。
マーク長をｎＴとした場合、本実施形態の第１記録パルス列Ｐ１を構成する、記録パワーＰｏを印加する記録パルスである先頭パルスＴｔｏｐとマルチパルスＴｍｐとを合わせたパルス数は、図４（Ｂ）に示すように（ｎ−１）である。
【００２７】
図５（Ａ）は上述した３Ｔ〜１４Ｔマークを形成するための記録信号を示し、図５（Ｂ）は図５（Ａ）の記録信号に基づいた３Ｔマークの記録パルス、図５（Ｃ）は１１Ｔマークの記録パルス、図５（Ｄ）は１４Ｔマークの記録パルスをそれぞれ示す。
第２記録パルス列Ｐ２は図５（Ｂ）〜（Ｄ）に示すように、マーク長ｎＴのｎが奇数、偶数の場合でそれぞれ異なる。
【００２８】
まずｎが奇数の場合について説明する。
マーク長ｎＴのｎが３の場合（３Ｔ）、第２記録パルス列Ｐ２は消去パワーＰｅから立ち上がって最初に記録膜にレーザ光を記録パワーＰｏで印加する先頭パルスＴｔｏｐと、先頭パルスＴｔｏｐに続くパルスで、レーザ光をボトムパワーＰｂで印加した後消去パワーＰｅで印加する冷却パルスＴｃｌとから構成される。
ｎが３より大きい奇数の場合、第２記録パルス列Ｐ２は先頭パルスＴｔｏｐと、先頭パルスＴｔｏｐに続くパルスであり、記録パワーＰｏとボトムパワーＰｂとを交互に印加するマルチパルスＴｍｐと、レーザ光をボトムパワーＰｂから記録パワーＰｏまで立ち上がらせるラストパルスＴｌｐと、レーザ光をボトムパワーＰｂから消去パワーＰｅまで立ち上がらせる冷却パルスＴｃｌとから構成される。
先頭パルスＴｔｏｐとマルチパルスＴｍｐとラストパルスＴｌｐとは、記録膜に対して記録マークを形成するための記録パルスである。ただし、ｎが３の場合にはマルチパルスＴｍｐとラストパルスＴｌｐとを備えていないので、記録パルスは先頭パルスＴｔｏｐのみである。ｎが奇数の場合、先頭パルスＴｔｏｐとマルチパルスＴｍｐとラストパルスＴｌｐとを合わせた数は（ｎ−１）／２個となる。
【００２９】
次にｎが偶数の場合について説明する。
マーク長ｎＴのｎが偶数の場合、第２記録パルス列Ｐ２は先頭パルスＴｔｏｐとマルチパルスＴｍｐとラストパルスＴｌｐと冷却パルスＴｃｌとから構成される。いずれのパルスも、ｎが奇数の場合に説明したパルスと同様のパルスである。先頭パルスＴｔｏｐとマルチパルスＴｍｐとラストパルスＴｌｐとは記録パルスであり、これらのパルスを合わせた数はｎ／２個となる。
【００３０】
第２の記録パルス列Ｐ２は、４Ｔ〜１４Ｔマークにおいて、２Ｔの期間に１つのマルチパルスＴｍｐを設けたものである。所望のマーク長ｎＴに対応して、マルチパルスＴｍｐの数を増減させる。
図５に示す第２の記録パルス列Ｐ２は、マーク長ｎＴのｎがｋと（ｋ＋１）の場合（ｎ＝４と５、６と７、８と９、１０と１１）では、記録パルスの数が同じである。ｎ＝ｋと（ｋ＋１）とでは、ラストパルスＴｌｐの印加時間（パルス幅）を調整することによってそれぞれのマーク長ｎＴに対応した加熱時間としている。
【００３１】
図６（Ａ）は一例として、８Ｔマーク及び３Ｔマークを形成するための記録信号を示し、図６（Ｂ）は図６（Ａ）の記録信号に基づいた記録パルスを示す。
第３記録パルス列Ｐ３は図６（Ｂ）に示すように、消去パワーＰｅから立ち上がって最初に記録膜にレーザ光を記録パワーＰｏで印加する先頭パルスＴｔｏｐと、先頭パルスＴｔｏｐに続くパルスであり、記録パワーＰｏとボトムパワーＰｂとを交互に印加するマルチパルスＴｍｐと、レーザ光をボトムパワーＰｂから消去パワーＰｅまで立ち上がらせる冷却パルスＴｃｌとで構成され、冷却パルスＴｃｌは各マークに対応した第３記録パルス列Ｐ３の終端となる。先頭パルスＴｔｏｐとマルチパルスＴｍｐとは、記録膜に対して記録マークを形成するための記録パルスとなっている。なお、マルチパルスＴｍｐがなく先頭パルスＴｔｏｐのみで第３記録パルス列Ｐ３が形成される場合もある。
本実施形態の第３記録パルス列Ｐ３を構成する、先頭パルスＴｔｏｐとマルチパルスＴｍｐとを合わせた（記録パルス）パルス数は（ｎ−１）であり、１Ｔの期間に１つマルチパルスＴｍｐが設けられている。
【００３２】
なお、本実施形態のいずれの記録パルス列においても、レーザ強度はＰｏ＞Ｐｅ＞Ｐｂの関係である。それぞれの印加時間（パルス幅）は、情報を記録する光記録媒体Ｄが最も良好な記録特性となる値に設定すればよい。
【００３３】
図４（Ｂ）に示す第１記録パルス列Ｐ１は、図６（Ｂ）に示す第３記録パルス列Ｐ３の終端である冷却パルスＴｃｌの直後に、消去パワーＰｅより高いパワーの消去先頭パワーＰetに立ち上がり、消去パワーＰｅまで降下する消去先頭パルスＴetを追加した構成である。Ｌ０層の記録に特に好ましい。
図５（Ｂ）〜（Ｄ）に示す第２記録パルス列Ｐ２は、第１記録パルス列Ｐ１や第３記録パルス列Ｐ３と比較して、記録パワーＰｏの上昇を抑える効果がある。
第３記録パルス列Ｐ３は、第１記録パルス列Ｐ１の消去先頭パワーＰｅｔを０とした（消去先頭パルスＴｅｔがない）構成としているため、第１記録パルス列Ｐ１と比較すると記録膜に印加するレーザパワーの平均値を低く抑えることができる。
【００３４】
（実施例１）
Ｌ０層に第１の記録パルス列Ｐ１を用いて記録し、Ｌ１層に第２記録パルス列Ｐ２を用いて記録した。記録線速度は、７．５ｍ／ｓである（ＤＶＤ２倍速）。
Ｌ０層における最適記録パワーＰｏ０は２０ｍＷであり、このときのジッタは８．７％である。最適記録パワーとは、ジッタが最も小さい値を示す記録パワーである。Ｌ１層における最適記録パワーＰｏ１は３２ｍＷであり、このときのジッタは８．５％である。Ｌ０層の最適記録パワーＰｏ０とＬ１層の最適記録パワーＰｏ１とのパワー比（Ｐｏ１／Ｐｏ０）は１．６である。Ｌ１層の変調度は５５％である。ここで、変調度は５０％以上の値を示すと規格を満たし好ましい。これらの結果及び後述する実施例２、３の結果を併せて図７に示す。
【００３５】
（実施例２）
Ｌ０層に第１記録パルス列Ｐ１を用いて記録し、Ｌ１層に第１記録パルス列Ｐ１を用いて記録した。記録線速度は、７．５ｍ／ｓである（ＤＶＤ２倍速）。
Ｌ０層における最適記録パワーＰｏ０は２０ｍＷであり、このときのジッタは８．７％である。Ｌ１層における最適記録パワーＰｏ１は３７ｍＷであり、このときのジッタは８．３％である。Ｌ０層の最適記録パワーＰｏ０とＬ１層の最適記録パワーＰｏ１とのパワー比（Ｐｏ１／Ｐｏ０）は１．８５である。Ｌ１層の変調度は５３％と良好な値を示した。
【００３６】
（実施例３）
Ｌ０層に第１記録パルス列Ｐ１を用いて記録し、Ｌ１層に第３記録パルス列Ｐ３を用いて記録した。記録線速度は、７．５ｍ／ｓである（ＤＶＤ２倍速）。
Ｌ０層における最適記録パワーＰｏ０は２０ｍＷであり、このときのジッタは８．７％である。Ｌ１層における最適記録パワーＰｏ１は３７ｍＷであり、このときのジッタは８．１％である。Ｌ０層の最適記録パワーＰｏ０とＬ１層の最適記録パワーＰｏ１とのパワー比（Ｐｏ１／Ｐｏ０）は１．８５である。Ｌ１層の変調度は５３％と良好な値を示した。
【００３７】
以上の実施例１〜３より、実施例１のようにＬ１層に対して第２記録パルス列Ｐ２に基づいて記録すると、実施例２、３と比較してＬ１層における最適記録パワーＰｏ１を低く抑えることができる。
また、実施例１の記録方法であれば、Ｌ１層の最適記録パワーＰｏ１が３２ｍＷであるので、レーザ光Ｌの上限出力が３５ｍＷの可搬型光記録装置を用いて良好な記録特性が得られる。
従って、可搬型光記録装置はＬ１層に対して３５ｍＷ以内のパワーを有するレーザ光Ｌで情報を記録する高感度光記録方法を採用することが好ましい。高感度光記録方法であれば、Ｌ１層に記録する際に用いるレーザ光Ｌのパワーを低く抑えることができ、光記録媒体Ｄにおいて十分に良好な記録特性も得られる。
【００３８】
一方、ビデオレコーダ等の据置型光記録装置は、３５ｍＷより大きいパワーのレーザ光Ｌの出力を許容できるので、実施例２や３のように最適記録パワーＰｏ１が３７ｍＷとなる記録方法を用いることができる。
実施例２のようにＬ０層、Ｌ１層共に同じ第１記録パルス列Ｐ１を用いれば、光記録再生装置の設計や制御が容易となり好ましい。また実施例３のようにＬ０層とＬ１層とに用いる記録パルス列を変えても、第１記録パルス列Ｐ１と第３記録パルス列Ｐ３とは先述したように消去先頭パルスＴｅｔの有無のみが記録パルス列構成において異なる点であるため、光記録再生装置の制御が複雑にならず好ましい。更に、実施例２、３いずれにおいても光記録媒体Ｄは、良好な記録特性を得られた。
従って、据置型光記録装置では、Ｌ１層に対して３５ｍＷより大きいパワーを有するレーザ光Ｌを用いて情報を記録する通常感度光記録方法を採用してもよい。
【００３９】
ここで、据置型光記録装置を通常感度光記録装置と称し、据置型光記録装置と比較して、出力できるレーザ光のパワーの上限が低い可搬型光記録装置を、高感度光記録装置と称する。本実施形態において高感度光記録装置は、高感度光記録方法のみ対応する。通常感度光記録装置は、通常感度光記録方法のみに対応する場合と、高感度光記録方法と通常感度光記録方法との双方に対応する場合とがある。
なお光記録媒体Ｄは、図３に示したＬ０層、Ｌ１層の膜構成に限定するものではない。他の膜構成であっても、高感度または通常感度光記録方法によって情報が記録されると、実施例１〜３と同様の記録特性が得られるものである。
【００４０】
次に図８に、本実施形態の光記録再生装置において記録再生される本実施形態の光記録媒体Ｄのリードインエリア２３の模式図を示す。リードインエリア２３の後ろには、ＯＰＣゾーン２５と記録エリア２４とが続いて形成されている。
リードインエリア２３には、Ｌ０層に対する第１の記録条件を示す第１の識別情報と、Ｌ１層に対する第２の記録条件を示す第２の識別情報と、Ｌ１層に対する第３の記録条件を示す第３の識別情報とが、物理的形状であるリーダブルエンボス状態で記録されている。第１の識別情報及び第２の識別情報は必ず記録されているが、第３の識別情報は、Ｌ１層に対する記録条件のオプションであるため、必要に応じて記録されていればよい。
第１の識別情報〜第３の識別情報は上述したように、それぞれ記録に用いるレーザ光Ｌのレーザ強度やその印加時間を示す記録パラメータ等を含む。
【００４１】
本実施形態の光記録媒体Ｄは、第１の識別情報として第１の記録パルス列Ｐ１を生成するための第１の記録条件、第２の識別情報として第２の記録パルス列Ｐ２を生成するための第２の記録条件、第３の識別情報として第１の記録パルス列Ｐ１または第３の記録パルス列Ｐ３を生成するための第３の記録条件を記録している。
【００４２】
既述したように、高感度（可搬型）光記録装置を用いて光記録媒体Ｄに情報を記録する場合は、高感度光記録方法を採用することが好ましい。従って、リードインエリア２３より第１の識別情報と第２の識別情報とを読み出し、Ｌ０層には第１の識別情報に基づいて第１の記録パルス列Ｐ１を用いて記録し、Ｌ１層には第２の識別情報に基づいて第２の記録パルス列Ｐ２を用いて記録すればよい。
通常感度（据置型）光記録装置を用いて光記録媒体Ｄに情報を記録する場合は、通常感度光記録方法を採用することが好ましい。従って、リードインエリア２３より第１の識別情報〜第３の識別情報を読み出し、Ｌ０層には第１の識別情報に基づいて第１の記録パルス列Ｐ１を用いて記録し、Ｌ１層には第２の識別情報を用いることなく第３の識別情報に基づいて第１の記録パルス列Ｐ１または第３の記録パルス列Ｐ３を用いて記録すればよい。
【００４３】
先に述べたように第３の識別情報は、Ｌ１層に対する記録条件のオプションであるため必須ではないため、リードインエリア２３に第１の識別情報と第２の識別情報とを記録しておけば、高感度光記録装置において良好な記録特性が得られて好ましい。しかしながら、本実施形態のように、リードインエリア２３に第１の識別情報〜第３の識別情報を記録しておくと、高感度光記録装置でも通常感度光記録装置でも良好に記録が行え、汎用性に優れてより好ましい。
【００４４】
≪第２実施形態≫
第１実施形態の通常感度及び高感度光記録装置において記録再生される光記録媒体Ｄのうち、高感度光記録装置において最適な記録が行われるように構成されたものを高感度光記録媒体Ｄｈと称し、通常感度光記録装置において最適な記録が行われるように構成されたものを通常感度光記録媒体Ｄｌと称する。
図９に、高感度光記録媒体Ｄｈと通常感度光記録媒体Ｄｌのリードインエリア２３の模式図を示す。リードインエリア２３の後ろには、ＯＰＣゾーン２５と記録エリア２４が続いて形成されている。リードインエリア２３には、識別情報として各種情報と共に高感度識別フラグが物理的形状であるリーダブルエンボス状態で記録されている。
【００４５】
高感度識別フラグは、Ｌ１層における最適記録パワーＰｏ１が３５ｍＷ以内であり、Ｌ１層が３５ｍＷ以内のパワー（記録パワーＰｏ）を有するレーザ光Ｌで記録可能な高感度な単位記録層であることを示す識別情報（高感度識別情報）である。
リードインエリア２３に記録されている高感度識別フラグが１であると、Ｌ１層は高感度な単位記録層であることを示し、高感度識別フラグが０であると、Ｌ１層は通常感度の単位記録層であることを示す。通常感度とは、Ｌ１層が３５ｍＷより大きい記録パワーＰｏで記録可能であることとする。
【００４６】
高感度光記録装置において最適な記録が行われるように構成された、高感度光記録媒体Ｄｈのリードインエリア２３には、高感度識別フラグ１が記録されている。
通常感度光記録装置において最適な記録が行われるように構成されたものを通常感度光記録媒体Ｄｌのリードインエリア２３には、高感度識別フラグ０が記録されている。
【００４７】
図１０は、高感度光記録装置に光記録媒体Ｄが挿入されると開始される高感度光記録装置の動作をフローチャートに示す。高感度光記録装置は図１に示した光記録再生装置と同じ構成であり、その詳細な動作についても同じである。
高感度光記録装置はステップＳ１で、反射率検出部４６を用いて光記録媒体Ｄの種類（例えば、再生専用、書き換え用、単層、二層等）を認識する。続いてステップＳ２で、再生部がリードインエリア２３より各種情報を読み出す。次にステップＳ３で、読み出した各種情報に含まれる高感度識別フラグが１であるか０であるかをシステムコントローラ４５が判断する。システムコントローラ４５は、読み出された高感度識別フラグが１であると、ステップＳ４へ進み、Ｌ１層に対して３５ｍＷ以内の記録パワーＰｏを有するレーザ光Ｌを照射して情報を記録する高感度光記録方法に基づいた高感度記録モードの状態で待機するよう各部を制御する。一方で高感度識別フラグが０であると、ステップＳ５で情報を記録せずに光記録媒体Ｄを排出するようシステムコントローラ４５が各部を制御する。システムコントローラ４５は制御部として動作する。
高感度光記録装置は、高感度光記録媒体Ｄｈに対して高感度光記録方法に基づいて記録し、通常感度光記録媒体Ｄｌには情報を記録せず排出する。
【００４８】
図１１は、通常感度光記録方法のみに対応する通常感度光記録装置に光記録媒体Ｄが挿入されると開始される通常感度光記録装置の動作をフローチャートに示す。ステップＳ１〜ステップＳ３までは、図１０に示した高感度光記録装置と同様の動作を行うため、説明を省略する。
通常感度光記録装置は、ステップＳ３において光記録媒体Ｄより読み出された各種情報に含まれる高感度識別フラグをステップＳ４で判断し、高感度識別フラグが１であると、ステップＳ６で光記録媒体Ｄを排出する。一方で高感度識別フラグが０であるとステップＳ７へ進み、Ｌ１層に対して３５ｍＷより大きいパワーを有するレーザ光Ｌを照射して記録する通常感度光記録方法に基づいた通常感度記録モードの状態で待機する。
通常感度光記録方法のみに対応する通常感度光記録装置は、通常感度光記録媒体Ｄｌに対して通常感度光記録方法に基づいて記録し、高感度光記録媒体Ｄｈには情報を記録せず排出する。
【００４９】
図１２は、高感度または通常感度光記録方法いずれにも対応して記録を行う通常感度光記録装置に光記録媒体Ｄが挿入されると開始される、通常感度光記録装置の動作をフローチャートに示す。ステップＳ１〜ステップＳ３までは、図１０に示した高感度光記録装置と同様の動作を行うため、説明を省略する。
通常感度光記録装置はステップＳ３において、光記録媒体Ｄより読み出した各種情報に含まれる高感度識別フラグをステップＳ４で判断し、高感度識別フラグが１であると、ステップＳ８へ進み、高感度記録モードの状態で待機する。一方で高感度識別フラグが０であると、ステップＳ９へ進み、通常感度記録モードの状態で待機する。
高感度または通常感度光記録方法いずれにも対応して記録を行う通常感度光記録装置は、全ての光記録媒体Ｄ（Ｄｌ、Ｄｈ）に対して記録が行える。
【００５０】
以上で説明したステップＳ５やステップＳ６で、挿入された光記録媒体Ｄが排出される際に、光記録再生装置において光記録媒体Ｄが記録できないことを示す画像を表示装置に表示させたり、同様の内容を示す音声を音声出力手段より出力させたりしてもよい。画像や音声は、光記録媒体Ｄまたは光記録再生装置に記録されていればよい。
【００５１】
光記録媒体Ｄのリードインエリア２３に高感度識別フラグを記録し、光記録再生装置において高感度識別フラグが１であるか０であるかを判定することで、通常感度光記録方法に基づいてのみ記録を行う通常感度光記録装置に挿入された高感度光記録媒体Ｄｈの記録膜に対して、大きな記録パワーを有するレーザ光Ｌが照射されることを防いだり、高感度光記録装置において通常感度光記録媒体Ｄｌに対して高感度光記録方法に基づいた記録がされることを防ぐことができる。
【図面の簡単な説明】
【００５２】
【図１】本発明の一実施形態である光記録再生装置を示す図である。
【図２】光記録媒体Ｄの平面図である。
【図３】本発明の一実施形態である光記録媒体Ｄの積層構造を示す縦断面図である。
【図４】本発明の一実施形態である第１記録パルス列Ｐ１を示す図である。
【図５】本発明の一実施形態である第２記録パルス列Ｐ２を示す図である。
【図６】本発明の一実施形態である第３記録パルス列Ｐ３を示す図である。
【図７】実施例１〜３の結果を示す表である。
【図８】第１実施形態のリードインエリア２３を示す図である。
【図９】第２実施形態のリードインエリア２３を示す図である。
【図１０】高感度光記録装置における動作のフローチャートである。
【図１１】通常感度光記録装置における動作のフローチャートである。
【図１２】通常感度光記録装置における動作のフローチャートである。
【符号の説明】
【００５３】
３３  ＬＤ（再生部）
３４  光ヘッド（再生部、記録部）
３９  記録パルス列生成部（記録部）
４１  マーク長カウンタ（記録信号生成部）
４２  ＥＦＭ＋エンコーダ
４３  ＬＤドライバ部（記録部）
４５  システムコントローラ（制御部）
５７  信号生成部（再生部）
【図１】
2008123652.tif 000003
【図２】
2008123652.tif 000004
【図３】
2008123652.tif 000005
【図４】
2008123652.tif 000006
【図５】
2008123652.tif 000007
【図６】
2008123652.tif 000008
【図７】
2008123652.tif 000009
【図８】
2008123652.tif 000010
【図９】
2008123652.tif 000011
【図１０】
2008123652.tif 000012
【図１１】
2008123652.tif 000013
【図１２】
2008123652.tif 000014